【事件の表示】
　特許第３２４００１４号「植物栽培用培養土」の請求項１ないし８に係る特許に対する特許異議の申立てについて、次のとおり決定する。
【結　論】
　訂正を認める。
　特許第３２４００１４号の請求項１ないし７に係る特許を取り消す。
【理　由】
１．手続の経緯
出願　　　　　　　　　　　　　　　　　　　　平成　５年　２月１８日
設定登録　　　　　　　　　　　　　　　　　　平成１３年１０月１２日
異議申立て（申立人　小太郎漢方製薬株式会社）平成１４年　４月２５日
　　　　　（申立人　小林浄子）　　　　　　　平成１４年　６月１７日
取消理由通知　　　　　　　　　　　　　　　　平成１４年１２月２６日付
訂正請求書　　　　　　　　　　　　　　　　　平成１５年　２月１３日
取消理由通知　　　　　　　　　　　　　　　　平成１５年１０月　７日付
訂正請求書　　　　　　　　　　　　　　　　　平成１５年１２月１１日
　
２．訂正の適否
２−１．訂正の内容
　　（ア）訂正事項ａ
　特許査定時の明細書（以下「特許明細書」という。）の特許請求の範囲において、
「【請求項１】　生薬を抽出及び／又は搾り出した残滓の堆肥資材のみからなることを特徴とする植物栽培用培養土。
　【請求項２】　生薬を抽出及び／又は搾り出した残滓の堆肥資材を主成分とする植物栽培用培養土であって、前記植物栽培用培養土には、下記の（１）〜（６）の中から選ばれた少なくとも１種以上の資材が配合されていることを特徴とする植物栽培用培養土。
記
（１）堆肥資材に対して、１〜１５重量％の薬用の動物及び／又は鉱物から生薬を抽出及び／又は搾り出した残滓。
（２）堆肥資材に対して１〜３０重量％の粘土粉末、イナわら、ムギわら、籾殻、米糠、キレート化合物、魚カス、油カス、製造カス、おが屑、樹皮細片物、鶏糞、馬糞又は骨粉から選ばれた少なくとも１種。
（３）堆肥資材に対して１〜３０重量％の繊維資材、パルプ、高吸水性樹脂、無機質吸水材又は界面活性剤から選ばれた少なくとも１種。
（４）堆肥資材に対して０．１〜２０重量％のバーク堆肥及び／又はピートモス。
（５）堆肥資材に対して０．１〜２０重量％の肥効物質。
（６）堆肥資材に対して５〜２５重量％の土壌改良資材。
　【請求項３】　繊維資材が天然繊維又は人造繊維で形成されている請求項２に記載の植物栽培用培養土。
　【請求項４】　天然繊維が植物繊維、動物繊維又は鉱物繊維である請求項３に記載の植物栽培用培養土。
　【請求項５】　人造繊維が再生繊維、半合性繊維又は合成繊維である請求項３に記載の植物栽培用培養土。
　【請求項６】　土壌改質剤が泥炭、草炭、亜炭或いは化石類等の植物物質、培養微生物、鉱物物質、合成化合物、鉱滓、りん鉱石又は石灰岩である請求項２に記載の植物栽培用培養土。
　【請求項７】　請求項１ないし６のいずれかに記載の植物栽培用培養土を造粒し、乾燥して成る植物栽培用培養土。
　【請求項８】　粒径が１〜２５ｍｍの範囲に調整されている請求項７に記載の植物栽培用培養土。」を、　
「【請求項１】　生薬を抽出及び／又は搾り出した残滓の堆肥資材を主成分とし、これを腐熟させて堆肥とした植物栽培用培養土であって、前記植物栽培用培養土には、下記の（１）〜（６）の中から選ばれた少なくとも１種以上の資材が配合されていることを特徴とする植物栽培用培養土。
　　　　　　　　　　　　　　　　　記
（１）堆肥資材に対して、１〜１５重量％の薬用の動物及び／又は鉱物から生薬を抽出及び／又は搾り出した残滓。
（２）堆肥資材に対して１〜３０重量％の粘土粉末、イナわら、ムギわら、籾殻、米糠、キレート化合物、魚カス、油カス、製造カス、おが屑、樹皮細片物、鶏糞、馬糞又は骨粉から選ばれた少なくとも１種。
（３）堆肥資材に対して１〜３０重量％の繊維資材、パルプ、高吸水性樹脂、無機質吸水材又は界面活性剤から選ばれた少なくとも１種。
（４）堆肥資材に対して０．１〜２０重量％のバーク堆肥及び／又はピートモス。
（５）堆肥資材に対して０．１〜２０重量％の肥効物質。
（６）堆肥資材に対して５〜２５重量％の土壌改良資材。
　【請求項２】　繊維資材が天然繊維又は人造繊維で形成されている請求項１に記載の植物栽培用培養土。
　【請求項３】　天然繊維が植物繊維、動物繊維又は鉱物繊維である請求項２に記載の植物栽培用培養土。
　【請求項４】　人造繊維が再生繊維、半合性繊維又は合成繊維である請求項２に記載の植物栽培用培養土。
　【請求項５】　土壌改質剤が泥炭、草炭、亜炭或いは化石類等の植物物質、培養微生物、鉱物物質、合成化合物、鉱滓、りん鉱石又は石灰岩である請求項１に記載の植物栽培用培養土。
　【請求項６】　請求項１ないし５のいずれかに記載の植物栽培用培養土を造粒し、乾燥して成る植物栽培用培養土。
　【請求項７】　粒径が１〜２５ｍｍの範囲に調整されている請求項６に記載の植物栽培用培養土。」と訂正する。
　なお、特許明細書の特許請求の範囲の請求項１が削除されたことにより、引用形式で記載された請求項２以下の項番が１ずつ繰り上がることになるから、
　訂正後の【請求項２】の「請求項２に記載」は、「請求項１に記載」の、
　訂正後の【請求項３】の「請求項３に記載」は、「請求項２に記載」の、
　訂正後の【請求項４】の「請求項３に記載」は、「請求項２に記載」の、
　訂正後の【請求項５】の「請求項２に記載」は、「請求項１に記載」の、
　訂正後の【請求項６】の「請求項１ないし６」は、「請求項１ないし５」の、
　訂正後の【請求項７】の「請求項７に記載」は、「請求項６に記載」の、
明らかな誤記と認められ、上記のように記載した。　
　
　　（イ）訂正事項ｂ
　特許明細書の段落【００１６】を、
「【課題を解決するための手段】
　本発明の植物栽培用培養土は、上記目的を達成するために、生薬を抽出及び／又は搾り出した残滓の堆肥資材を主成分とし、これを腐熟させて堆肥とした植物栽培用培養土であって、前記植物栽培用培養土には、下記の（１）〜（６）の中から選ばれた少なくとも１種以上の資材が配合されていることを特徴とする植物栽培用培養土。
　　　　　　　　　　　　　　　　　記
（１）　堆肥資材に対して、１〜１５重量％の薬用の動物及び／又は鉱物から生薬を抽出及び／又は搾り出した残滓。
（２）　堆肥資材に対して１〜３０重量％の粘土粉末、イナわら、ムギわら、籾殻、米糠、キレート化合物、魚カス、油カス、製造カス、おが屑、樹皮細片物、鶏糞、馬糞又は骨粉から選ばれた少なくとも１種。
（３）　堆肥資材に対して１〜３０重量％の繊維資材、パルプ、高吸水性樹脂、無機質吸水材又は界面活性剤から選ばれた少なくとも１種。
（４）　堆肥資材に対して０．１〜２０重量％のバーク堆肥及び／又はピートモス。
（５）　堆肥資材に対して０．１〜２０重量％の肥効物質。
（６）　堆肥資材に対して５〜２５重量％の土壌改良資材。」と訂正する。
　
　　（ウ）訂正事項ｃ　
　特許明細書の段落【００３６】を、
「本発明の植物栽培用培養土においては、上記薬用植物の残滓から得られた堆肥資材(Ａ)に、薬用の動物及び／又は鉱物から生薬を抽出及び／又は搾り出した残滓(Ｂ)を含有させたものも至極有益である。」と訂正する。
　
２−２．訂正の目的の適否、新規事項の有無及び拡張・変更の存否
　ｉ．上記訂正事項ａは、
　特許明細書の特許請求の範囲において、
　請求項８の「生薬を抽出及び／又は搾り出した残滓の堆肥資材を主成分とする植物栽培用培養土」を、「生薬を抽出及び／又は搾り出した残滓の堆肥資材を主成分とし、これを腐熟させて堆肥とした植物栽培用培養土」と訂正して、植物栽培用培養土の構成を限定し、
　請求項１を削除し、請求項２、３、４、５、６、７、８の項番を繰り上げて、それぞれ請求項１、２、３、４、５、６、７と訂正するものであるから、
　特許請求の範囲の減縮及び明りようでない記載の釈明を目的とするものである。
　ii．上記訂正事項ｂは、上記訂正事項ａにより訂正された特許請求の範囲の記載と発明の詳細な説明の記載の整合を図るものであり、明りようでない記載の釈明を目的とするものである。
　iii．上記訂正事項ｃは、特許請求の範囲の記載と一致しない発明の詳細な説明の記載を明瞭にするものであるから、明りようでない記載の釈明を目的とするものである。
　iv．また、上記訂正事項ａ〜ｃは、願書に添付した明細書又は図面に記載した事項の範囲内の訂正であり、実質上特許請求の範囲を拡張し又は変更するものでもない。
　
２−３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項の規定に適合するので、当該訂正を認める。
　
３．特許異議の申立てについての判断
３−１．本件発明
　本件特許第３２４００１４号の請求項１ないし請求項７に係る発明（以下「本件発明１ないし本件発明７」という。）は、訂正明細書の特許請求の範囲の請求項１ないし７に記載されたとおりのものである（上記「２−１．訂正の内容」の「（ア）訂正事項ａ」参照。）。
　
３−２．引用刊行物
　平成１５年１０月７日付取消理由通知で引用した刊行物は、以下のものである。
　
刊行物１：実願昭４７−１１６６７０号（実開昭４９−７１４６９号）
　　　　　のマイクロフィルム
刊行物２：特開平２−２６８８６号公報（申立人　小太郎漢方製薬株式会社　　　が提出した甲第２０号証、申立人　小林浄子が提出した甲第１号証）
刊行物３：特開昭５４−８５９５６号公報（申立人　小太郎漢方製薬株式会　　　　　社が提出した甲第２１号証）
刊行物４：特開昭６３−２７９７２４号公報（同第２２号証）
刊行物５：特開平３−１３９２１５号公報（同第２３号証）
刊行物６：特開昭６２−７９７１４号公報（同第２４号証）
刊行物７：特開昭５１−１４５７３７号公報（同第２５号証）
刊行物８：特開昭６３−２３５３９１号公報（同第２６号証）
刊行物９：特開昭６３−２９４７１２号公報（申立人　小林浄子が提出した　　　　　甲第２号証）
刊行物１０：特開平２−１１３８２６号公報（同甲第３号証）
刊行物１１：特開平２−１４５１３３号公報
　
　上記各刊行物には、以下の事項が記載されている。
　刊行物１（実願昭４７−１１６６７０号（実開昭４９−７１４６９号）のマイクロフィルム）
「本考案は農園芸及び植木等に使用する用土の製法に関するものでありその特長は有機繊維物質、例えば綿実粕、綿粉、樹皮、藁、椰子、葦等を単一又は二種以上混合し充分水分を含水させてＰＨを中性に保ち又、発酵を早めるために必要に応じてそれぞれアルカリ性又は、酸性肥料等を加えてこれを混練するものである。」（１頁下から３行〜２頁５行）
「これら混練して得た含水度高い有機繊維物質を通気性のある合成繊維の腐敗しないメッシュ（・・・）７の袋に詰め１ヶ月から３ヶ月位で積載のまゝ自然発酵をさせるものである。発酵が終れば有機繊維物質はボロボロの土の状態になりこれを１０％から５０％位の含水度で農園芸及び植木等の用土として使用するものである。これら原材料は産業廃棄物を利用し合理的に大量生産が出来るので従来の堆肥、腐葉土の手作りによる、数回の切り返し及びふみこみ等を行って６ヶ月から１ヶ年かゝって作るものより、本考案の製法は、はるかに合理的であり植物に絶対必要な団粒構造土壌となり、水もちが良く、通水、通気性に富みＰＨが中性で如何なる植物にも使用出来、土壌の吸肥力を増加させて植物の生育を助ける用土となるものである。」（２頁下から５行〜３頁１３行）
　これらの記載からみて、刊行物１には、以下の発明が記載されていると認められる。
「産業廃棄物の有機繊維物質を自然発酵させて生産する、農園芸及び植木等の用土。」
　
　刊行物２（特開平２−２６８８６号公報）
「薬用植物の抽出残渣に鉱物質を添加して発酵させることによって得られる・・・肥料。」（特許請求の範囲）
「従来、薬用植物の抽出残渣は大部分産業廃棄物として焼却あるいは埋め立て処理されている。
〔課題を解決するための手段〕
　本発明は上記のように従来無為に廃棄されている薬用植物の抽出残渣の有用化を図るものであり、その手段として薬用植物の抽出残渣に鉱物質を添加して発酵させることによって得られる肥料を提供するものである。」（１頁左下欄１２〜１９行）
「抽出残渣・・・に対し、通常上記鉱物質水溶液は・・・添加し充分に混合し、所望なれば５〜３０日程度堆積養生してから・・・堆積発酵装置等の公知の発酵装置を用いて・・・混合物を発酵させる。上記混合物には動物の糞尿、稲わらや麦わら等の植物質あるいはヨウ素、リン酸等を混合してもよい。上記発酵は略５〜３０日間行われ、その後内容物を発酵装置から取出して更に５〜３０日間適当に堆積と攪拌とを繰り返す。
　このようにして本発明の肥料が得られるが、本発明の肥料には更に所望なれば上記鉱物質やヨウ素、リン酸等が後添加されてもよい。」（２頁左上欄１０行〜右上欄３行）
「本発明において、鉱物質は・・・非常に発酵しにくい薬用植物残渣でも急速に発酵を進ませる。」（２頁右上欄５〜１１行）
「本発明においては薬用植物の抽出残渣に発酵しにくい薬効成分が残存していても発酵が円滑に進み、能率的に肥料を生産することが出来る。また本発明の肥料は薬効成分を含んでいるから植物に対する栄養源となる以外に植物の成長促進剤、耐病性付与剤、耐菌性付与剤等としても作用して極めて肥料として有用なものである。」（２頁右上欄１３〜末行）
　
　刊行物３（特開昭５４−８５９５６号公報）
「・・・鶏ふん、わら屑、バーク堆肥等の有機物及び・・・化成肥料を添加した土壌改良材。」（特許請求の範囲）
　
　刊行物４（特開昭６３−２７９７２４号公報）
「（１）粉末粘土と吸水性合成樹脂との混合体より成る・・・顆粒状培養土。」（特許請求の範囲）
　
　刊行物５（特開平３−１３９２１５号公報）
「１．スギ及び／又はヒノキの皮層の細切物に界面活性剤を添加した・・・人工培土。」（特許請求の範囲）
　
　刊行物６（特開昭６２−７９７１４号公報）
「・・・造粒してなる・・・作物栽培用用土。」（特許請求の範囲）
「・・・造粒し、・・・乾燥させ、」（４頁右下欄８行）
　
　刊行物７（特開昭５１−１４５７３７号公報）
「合成繊維または半合成繊維からなる繊維束、糸もしくは布帛の１種以上を・・・切断した繊維片か、または・・・繊維塊からなる土壌混入剤。」（特許請求の範囲）
「従来、野菜、花、盆栽等を栽培するときに、肥料・・・ピートモス、堆肥、籾殻等を土壌に混入する」（１頁左下欄下から６〜４行）
　
　刊行物８（特開昭６３−２３５３９１号公報）
「１．石炭類の粉砕物に硫酸または燐酸を含浸させてなる土壌のＰＨ調整剤。
　２．石炭類が、・・・亜炭、泥炭及び草炭のうちから選んだ１種または２種以上である」（特許請求の範囲）
　
　刊行物９（特開昭６３−２９４７１２号公報）
「１．醗酵ペレット状ピートモスと保水剤あるいは養液とからなる・・・植物栽培用人工培地。」（特許請求の範囲）
「粒径９ｍｍ以下の粉状ピートモス・・・を得た。」（２頁右上欄下から４、３行）
　
　刊行物１０（特開平２−１１３８２６号公報）
「仝乾固形物に対し・・・高吸水性樹脂と・・・水溶性有機高分子を含有する含水土を、粒状に成形後、乾燥する・・・顆粒状培養土の製造法。」（特許請求の範囲）
「高吸水性樹脂と水溶性高分子を含有した含水土は粒径１〜１０ｍｍ・・・に造粒成形する。」（２頁右下欄下から２行〜３頁左上欄１行）
　
　刊行物１１：特開平２−１４５１３３号公報
「粉砕した土壌と、無機繊維、植物系繊維及び合成繊維から選択された１種又はそれ以上の繊維質素材とを混合し、造粒してなる・・・植物栽培用粒状資材。」（特許請求の範囲）
「繊維質素材としては、ロックウール・・・が用いられる。」（２頁左下欄下から６行〜右上欄１行）
　
３−３．対比・判断
　（ｉ）本件発明１について
　（ｉ−１）本件発明１と刊行物１に記載された発明との対比
　本件発明１と上記刊行物１に記載された発明を対比する。
　刊行物１に記載された発明において、産業廃棄物の有機繊維物質を、農園芸及び植木等の用土となるまで、自然発酵させたものは「堆肥」といえるから、上記「産業廃棄物の有機繊維物質」は「堆肥資材」といえるものであり、上記「自然発酵」は「腐熟」を意味するものであり、また、上記「農園芸及び植木等の用土」は「植物栽培用培養土」といえるから、
　本件発明１と刊行物１に記載された発明とは、「堆肥資材を主成分とし、これを腐熟させて堆肥とした植物栽培用培養土。」である点で一致し、以下の点で相違する。
　
　（相違点）
　相違点１：本件発明１では、堆肥資材が「生薬を抽出及び／又は搾り出した残滓」であるのに対して、刊行物１に記載された発明では、そうではない点。
　相違点２：本件発明１では、植物栽培用培養土に、
「（１）堆肥資材に対して、１〜１５重量％の薬用の動物及び／又は鉱物から生薬を抽出及び／又は搾り出した残滓。
　（２）堆肥資材に対して１〜３０重量％の粘土粉末、イナわら、ムギわら、籾殻、米糠、キレート化合物、魚カス、油カス、製造カス、おが屑、樹皮細片物、鶏糞、馬糞又は骨粉から選ばれた少なくとも１種。
　（３）堆肥資材に対して１〜３０重量％の繊維資材、パルプ、高吸水性樹脂、無機質吸水材又は界面活性剤から選ばれた少なくとも１種。
　（４）堆肥資材に対して０．１〜２０重量％のバーク堆肥及び／又はピートモス。
　（５）堆肥資材に対して０．１〜２０重量％の肥効物質。
　（６）堆肥資材に対して５〜２５重量％の土壌改良資材。
の中から選ばれた少なくとも１種以上の資材が配合されている」のに対して、刊行物１に記載された発明では、そうではない点。
　
　上記相違点について検討する。
　＜相違点１について＞
　刊行物２には、産業廃棄物の薬用植物の抽出残渣（本件発明１の「生薬を抽出した残滓」に相当する。）を発酵させて肥料にする発明が記載され、薬用植物の抽出残渣（生薬を抽出した残滓）は主として有機繊維物質であり、肥料も農園芸及び植木等の用土（植物栽培用培養土）も植物の栽培に使用されるものである点で共通しているから、刊行物１に記載された発明において、産業廃棄物の有機繊維物質として薬用植物の抽出残渣（生薬を抽出した残滓）を採用し、農園芸及び植木等の用土（植物栽培用培養土）とすることは、当業者であれば容易に想到し得ることである。
　＜相違点２について＞
　上記（１）〜（６）の資材の中から少なくとも１種以上を植物栽培用培養土に配合することは、周知技術（上記刊行物３〜５、７〜１１参照。）であり、それらの堆肥資材に対しての配合割合は、当業者が必要に応じて適宜に設定し得る程度のものであるから、相違点２に係る本件発明１の構成は、当業者であれば容易に想到し得ることである。
　
　そして、本件発明１が奏する効果は、上記刊行物１、２に記載された発明及び周知技術が奏する効果と比較して、格別顕著なものとも認められない。
　したがって、本件発明１は、上記刊行物１、２に記載された発明及び周知技術に基いて当業者が容易に発明をすることができたものであるから、特許法第２９条第２項の規定により特許を受けることができない。
　
　（ｉ−２）本件発明１と刊行物２に記載された発明との対比
　本件発明１と上記刊行物２に記載された発明を対比する。
　刊行物２には、産業廃棄物の薬用植物の抽出残渣（生薬を抽出した残滓）を発酵させて肥料にする発明が記載され、薬用植物の抽出残渣（生薬を抽出した残滓）を肥料となるまで発酵させたものは「堆肥」といえるから、上記「産業廃棄物の薬用植物の抽出残渣（生薬を抽出した残滓）」は「堆肥資材」といえるものであり、上記「発酵」は「腐熟」を意味するものであるから、
　本件発明１と刊行物２に記載された発明とは、「生薬を抽出した残滓の堆肥資材を主成分とし、これを腐熟させて堆肥とした」ものである点で一致し、以下の点で相違する。
　
　（相違点）
　相違点１：本件発明１では、「植物栽培用培養土」であるのに対して、刊行物２に記載された発明では、「肥料」である点。
　相違点２：本件発明１では、植物栽培用培養土に、
「（１）堆肥資材に対して、１〜１５重量％の薬用の動物及び／又は鉱物から生薬を抽出及び／又は搾り出した残滓。
　（２）堆肥資材に対して１〜３０重量％の粘土粉末、イナわら、ムギわら、籾殻、米糠、キレート化合物、魚カス、油カス、製造カス、おが屑、樹皮細片物、鶏糞、馬糞又は骨粉から選ばれた少なくとも１種。
　（３）堆肥資材に対して１〜３０重量％の繊維資材、パルプ、高吸水性樹脂、無機質吸水材又は界面活性剤から選ばれた少なくとも１種。
　（４）堆肥資材に対して０．１〜２０重量％のバーク堆肥及び／又はピートモス。
　（５）堆肥資材に対して０．１〜２０重量％の肥効物質。
　（６）堆肥資材に対して５〜２５重量％の土壌改良資材。
の中から選ばれた少なくとも１種以上の資材が配合されている」のに対して、刊行物２に記載された発明では、そうではない点。
　
　上記相違点について検討する。
　＜相違点１について＞
　刊行物１には、産業廃棄物の有機繊維物質を自然発酵させて堆肥とした農園芸及び植木等の用土（植物栽培用培養土）の発明が記載されており、刊行物２に記載された発明の「産業廃棄物の薬用植物の抽出残渣（生薬を抽出した残滓）」も主として有機繊維物質であることから、刊行物２に記載された発明において、薬用植物の抽出残渣（生薬を抽出した残滓）を発酵させて堆肥としたものを、農園芸及び植木等の用土（植物栽培用培養土）とすることは、当業者であれば容易に想到し得ることである。
　＜相違点２について＞
　上記（１）〜（６）の資材の中から少なくとも１種以上を植物栽培用培養土に配合することは、周知技術（上記刊行物３〜５、７〜１１参照。）であり、それらの堆肥資材に対しての配合割合は、当業者が必要に応じて適宜に設定し得る程度のものであるから、相違点２に係る本件発明１の構成は、刊行物２に記載された発明を植物栽培用培養土とするにあたり、上記周知技術を組み合わせて当業者であれば容易に想到し得ることである。
　
　そして、本件発明１が奏する効果は、上記刊行物１、２に記載された発明及び周知技術が奏する効果と比較して、格別顕著なものとも認められない。
　したがって、本件発明１は、上記刊行物１、２に記載された発明及び周知技術に基いて当業者が容易に発明をすることができたものであるから、特許法第２９条第２項の規定により特許を受けることができない。
　
　（ii）本件発明２について
　本件発明２は、本件発明１の構成に、「繊維資材が天然繊維又は人造繊維で形成されている」との限定事項を付加したものであるが、該限定事項は周知技術（上記刊行物７、１１参照。）であり、本件発明１は、上記（ｉ）で述べたように、上記刊行物１、２に記載された発明及び周知技術に基いて当業者が容易に発明をすることができたものである。
　そして、本件発明２が奏する効果は、上記刊行物１、２に記載された発明及び周知技術が奏する効果と比較して、格別顕著なものとも認められない。
　したがって、本件発明２は、上記刊行物１、２に記載された発明及び周知技術に基いて当業者が容易に発明をすることができたものであるから、特許法第２９条第２項の規定により特許を受けることができない。
　
　（iii）本件発明３について
　本件発明３は、本件発明２の構成に、「天然繊維が植物繊維、動物繊維又は鉱物繊維である」との限定事項を付加したものであるが、該限定事項は周知技術（上記刊行物１１参照。）であり、本件発明２は、上記（ii）で述べたように、上記刊行物１、２に記載された発明及び周知技術に基いて当業者が容易に発明をすることができたものである。
　そして、本件発明３が奏する効果は、上記刊行物１、２に記載された発明及び周知技術が奏する効果と比較して、格別顕著なものとも認められない。
　したがって、本件発明３は、上記刊行物１、２に記載された発明及び周知技術に基いて当業者が容易に発明をすることができたものであるから、特許法第２９条第２項の規定により特許を受けることができない。
　
　（iv）本件発明４について
　本件発明４は、本件発明２の構成に、「人造繊維が再生繊維、半合性繊維又は合成繊維である」との限定事項を付加したものであるが、該限定事項は周知技術（上記刊行物７参照。）であり、本件発明２は、上記（ii）で述べたように、上記刊行物１、２に記載された発明及び周知技術に基いて当業者が容易に発明をすることができたものである。
　そして、本件発明４が奏する効果は、上記刊行物１、２に記載された発明及び周知技術が奏する効果と比較して、格別顕著なものとも認められない。
　したがって、本件発明４は、上記刊行物１、２に記載された発明及び周知技術に基いて当業者が容易に発明をすることができたものであるから、特許法第２９条第２項の規定により特許を受けることができない。
　
　（ｖ）本件発明５について
　本件発明５は、本件発明１の構成に、「土壌改質剤が泥炭、草炭、亜炭或いは化石類等の植物物質、培養微生物、鉱物物質、合成化合物、鉱滓、りん鉱石又は石灰岩である」との限定事項を付加したものであるが、該限定事項は周知技術（上記刊行物８参照。）であり、本件発明１は、上記（ｉ）で述べたように、上記刊行物１、２に記載された発明及び周知技術に基いて当業者が容易に発明をすることができたものである。
　そして、本件発明５が奏する効果は、上記刊行物１、２に記載された発明及び周知技術が奏する効果と比較して、格別顕著なものとも認められない。
　したがって、本件発明５は、上記刊行物１、２に記載された発明及び周知技術に基いて当業者が容易に発明をすることができたものであるから、特許法第２９条第２項の規定により特許を受けることができない。
　
　（vi）本件発明６について
　本件発明６は、本件発明１ないし５のいずれかの構成に、「植物栽培用培養土を造粒し、乾燥して成る」との限定事項を付加したものであるが、該限定事項は周知技術（上記刊行物６、１０参照。）であり、本件発明１ないし５は、上記（ｉ）ないし（ｖ）で述べたように、上記刊行物１、２に記載された発明及び周知技術に基いて当業者が容易に発明をすることができたものである。
　そして、本件発明６が奏する効果は、上記刊行物１、２に記載された発明及び周知技術が奏する効果と比較して、格別顕著なものとも認められない。
　したがって、本件発明６は、上記刊行物１、２に記載された発明及び周知技術に基いて当業者が容易に発明をすることができたものであるから、特許法第２９条第２項の規定により特許を受けることができない。
　
　（vii）本件発明７について
　本件発明７は、本件発明６の構成に、「粒径が１〜２５ｍｍの範囲に調整されている」との限定事項を付加したものであるが、該限定事項は周知技術（上記刊行物９、１０参照。）であり、本件発明６は、上記（vi）で述べたように、上記刊行物１、２に記載された発明及び周知技術に基いて当業者が容易に発明をすることができたものである。
　そして、本件発明７が奏する効果は、上記刊行物１、２に記載された発明及び周知技術が奏する効果と比較して、格別顕著なものとも認められない。
　したがって、本件発明７は、上記刊行物１、２に記載された発明及び周知技術に基いて当業者が容易に発明をすることができたものであるから、特許法第２９条第２項の規定により特許を受けることができない。
　
３−４．むすび
　以上のとおりであるから、本件請求項１ないし７に係る発明は、特許法第２９条第２項の規定により特許を受けることができない。
　したがって、本件請求項１ないし７に係る発明についての特許は、拒絶の査定をしなければならない特許出願に対してされたものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年２月６日（２００４．２．６）
【訂正の要旨】
審決（決定）の【理由】欄参照。
（５４）【発明の名称】
植物栽培用培養土
（５７）【特許請求の範囲】
　【請求項１】　生薬を抽出及び又は搾り出した残滓の堆肥資材を主成分
とし、これを腐熟させて堆肥とした
　　　記
（１）　堆肥資材に対して、１〜１５重量％の薬用の動物及び／又は鉱物から生薬を抽出及び／又は搾り出した残滓。
（２）　堆肥資材に対して１〜３０重量％の粘土粉末、イナわら、ムギわら、籾殻、米糠、キレート化合物、魚カス、油カス、製造カス、おが屑、樹皮細片物、鶏糞、馬糞又は骨粉から選ばれた少なくとも１種。
（３）　堆肥資材に対して１〜３０重量％の繊維資材、パルプ、高吸水性樹脂、無機質吸水材又は界面活性剤から選ばれた少なくとも１種。
（４）　堆肥資材に対して０．１〜２０重量％のバーク堆肥及び／又はピートモス。
（５）　堆肥資材に対して０．１〜２０重量％の肥効物質。
（６）　堆肥資材に対して５〜２５重量％の土壌改良資材。
　【請求項２】　繊維資材が天然繊維又は人造繊維で形成されている請求項２に記載の植物栽培用培養土。
　【請求項３】　天然繊維が植物繊維、動物繊維又は鉱物繊維である請求項３に記載の植物栽培用培養土。
　【請求項４】　人造繊維が再生繊維、半合性繊維又は合成繊維である請求項３に記載の植物栽培用培養土。
　【請求項５】　土壌改質剤が泥炭、草炭、亜炭或いは化石類等の植物物質、培養微生物、鉱物物質、合成化合物、鉱滓、りん鉱石又は石灰岩である請求項２に記載の植物栽培用培養土。
　【請求項６】　請求項１ないし６のいずれかに記載の植物栽培用培養土を造粒し、乾燥して成る植物栽培用培養土。
　【請求項７】　粒径が１〜２５ｍｍの範囲に調整されている請求項７に記載の植物栽培用培養土。
【発明の詳細な説明】
　【０００１】
　【産業上の利用分野】
　本発明は、畑地（果樹栽培用を含む。）、水田、ハウス土壌、育苗用培土、鉢土又はベッド栽培用培土等に好適に用いられる植物栽培用培養土に関するものである。
　【０００２】
　【従来の技術】
　従来、農作物等の植物を栽培するための培養土としては、腐葉土或いはこの腐葉土に天然の土壌を混合したものを主として用いられているが、保水性が悪く、植物の育成に際し、頻繁に水を与えなければならず、大変煩わしいものであった。
　【０００３】
　そこで、最近では以下のものが提案されている。
　粉末粘度と吸水性合成樹脂との混合体より成る顆粒状培養土が提案されている（特開昭６３ー２７９７２４号公報）。
　【０００４】
　又、　完熟堆肥又はビートモス腐植酸質資材の微粉末と、永久陰電荷を有するアルミノ硅酸塩鉱物の微粉末とを主成分とし、これらに粘土質資材の微粉末、及びモンモリロナイト、カルボキシメチルセルロース、ポリビニルアルコール、リグニンのいずれかからなるバインダーとを加え、混練、造粒してなる作物栽培用用土が提案されている（特開昭６２ー７９７１４号公報）。
　【０００５】
　更に、　スギ及び／又はヒノキの皮層の細切物に界面活性剤を添加した人工培土が提案されている（特開平３ー１３９２１５号公報）。
　そして、この場合、この人工培土に、更に多孔体粒子、バーミキュライト又は保水材を加えることが開示されている。
　【０００６】
　【発明が解決しようとする課題】
　しかしながら、上記　のものは、粉末粘度を主成分とし、これに吸水性合成樹脂を混合したものであるが、これでは植物の成長に必要な養分が不足し、施肥が必要になる。
　【０００７】
　この場合、窒素、りん、カリウム、カルシウム又はマグネシウム等の多量養分元素、又は塩素、ホウ素、鉄、マンガン、亜鉛又は銅等の微量養分元素のバランスを配慮するだけでなく、養分過剰に伴う濃度過剰症にも配慮する必要があった。
　【０００８】
　又、このように粉末粘土と吸水性合成樹脂からなる培養土の場合、植物の成育に際し、施水と乾燥が繰り返されることによって、培養土が硬化し、この結果、根の成長を妨げたり、水の浸透を悪くし、必ずしも、植物の栽培に適しているとはいえないのである。
　【０００９】
　特に、最近では、大都市において、粉末粘土の入手が困難となり、粉末粘土の価格が高騰し、至極不経済である。
　【００１０】
　上記　のものは、完熟堆肥を用いるものであるが、この完熟堆肥についての具体的な記載はないが、その全体の記載より、敷料又は糞尿に、オガ屑やモミ殻などを加えた通常の資材を完熟堆肥したものと解される。
　【００１１】
　このような完熟堆肥は植物の成育に好ましいものであるが、このような通常の資材の完熟には長時間を要し、至極不経済である上、大量に製造すると、周囲に悪臭を放散し、都市圏での製造が困難であった。
　【００１２】
　又、ビートモス腐植酸質資材の微粉末は水ごけ泥炭を乾燥、粉砕したものであるが、そのままでは強酸性なので、使用に際し、石灰を加えて中和する必要があり、この中和に相当の注意を要するのである。
　【００１３】
　上記　のものはスギ及び／又はヒノキの皮層の細切物を主成分とするものであり、このスギ及び／又はヒノキの皮層の細切物は繊維が絡み合っているので、根の成長を妨げるのである。
　【００１４】
　又、スギ及び／又はヒノキの皮層の細切物を主成分とするものは植物の成長に必要な養分が不足し、施肥が必要になるので、上記　の場合と同様の課題がある。
　【００１５】
　本発明は、上記技術的課題を解決するために完成されたものであって、生薬を抽出及び／又は搾り出した残滓を用いることにより、堆肥時間が短く、しかも植物に必要な多量養分元素及び微量養分元素のバランスが良く、且つ保水性が良好で、植物の成長を促進して、収穫量の増大、及び品質の優れた農産物が得られる植物栽培用培養土を提供することを目的とする。
　【００１６】
　【課題を解決するための手段】
　本発明の植物栽培用培養土は、上記目的を達成するために、生薬を抽出及び又は搾り出した残滓の堆肥資材を主成分
とし、これを腐熟させて堆肥とした
　　　記
（１）　堆肥資材に対して、１〜１５重量％の薬用の動物及び／又は鉱物から生薬を抽出及び／又は搾り出した残滓。
（２）　堆肥資材に対して１〜３０重量％の粘土粉末、イナわら、ムギわら、籾殻、米糠、キレート化合物、魚カス、油カス、製造カス、おが屑、樹皮細片物、鶏糞、馬糞又は骨粉から選ばれた少なくとも１種。
（３）　堆肥資材に対して１〜３０重量％の繊維資材、パルプ、高吸水性樹脂、無機質吸水材又は界面活性剤から選ばれた少なくとも１種。
（４）　堆肥資材に対して０．１〜２０重量％のバーク堆肥及び／又はピートモス。
（５）　堆肥資材に対して０．１〜２０重量％の肥効物質。
（６）　堆肥資材に対して５〜２５重量％の土壌改良資材。
　【００１７】
　最近、日増しに伝えられる、合成医薬品による薬害や副作用によって、薬用の植物、動物又は鉱物などの自然物から得られる漢方薬や民間薬が、いわゆる薬害や副作用の無い薬として、漢方薬や民間薬が見直され、その関心が高まっている。
　【００１８】
　生薬とは、薬用に供する目的をもって、植物、動物、鉱物などの自然物の一部を乾燥し、又は、簡単な加工をしたもの（全形生薬）、これを粗切、中切又は細切したもの（切断生薬）、全形生薬又は切断生薬を粗末、中末、細末又は微末としたもの（粉末生薬）及び細胞内容物、分泌物又はそれらの抽出物などがある。生薬には、大きく分けると西洋生薬と和漢生薬に分類される。
　【００１９】
　本発明において、生薬を抽出或いは搾り出した残滓とは、以下のものが挙げられる。即ち、▲１▼薬草に供する目的をもって、植物、動物又は鉱物などの天然物の全部或いは一部、或いは動植物の成長したもの、更にこれらの乾燥物や細片物を水又は温水或いはエチルアルコール、アセトン、エーテル、アセトン変性エチルアルコール又は酢酸エチル等の有機溶剤に浸し、更に、この有機溶剤に酸又はアルカリを加えたものに浸して薬効成分を抽出した残滓が挙げられる。
　【００２０】
　又、▲２▼薬用に供する目的をもって、植物、動物又は鉱物などの天然物の全部或いは一部、或いは動植物の成長したもの、更にこれらの乾燥物や細片物から薬効成分を搾り出した残滓、或いは植物、動物又は鉱物などの天然物の全部或いは一部、或いは動植物の成長したもの、更にこれらの乾燥物や細片物を抽出剤に浸し、これから薬効成分を搾り出した残滓が挙げられる。
　【００２１】
　そして、本発明者は、最近、薬用の植物、動物又は鉱物などの自然物から生薬を抽出及び／又は搾り出した残滓が多量の副産物として得られ、しかもこの残滓には多量の有効成分が残留しているほか、通常植物を堆肥するのに比較して、堆肥時間が短いだけでなく、植物の成長に必要な多量養分元素及び微量養分元素のバランスが良く、且つ保水性が良好で、植物の成長を促進することに着目して長年にわたって植物栽培用培養土について検討を重ねてきた。
　【００２２】
　その結果、農産物等の収穫量が大幅に増大する上、品質の優れた農産物が得られるだけでなく、従来、産業廃棄物として処分していた薬用の植物、動物又は鉱物などの自然物から生薬を抽出及び／又は搾り出した残滓を有効に利用できる上、堆肥の製造の際、周囲に殆ど悪臭が発生することがないので都市圏でも堆肥の製造が可能であり、しかも安価に植物栽培用培養土を製造できることを見いだした。
　【００２３】
　又、本発明の植物栽培用培養土は、自然の黒土に似た状態であり、しかも臭いが殆ど感じられず、至極取り扱い易いものである。
　【００２４】
　ところで、本発明の植物栽培用培養土において、「主成分とする」とは、生薬を抽出及び／又は搾り出した残滓の堆肥資材が植物栽培用培養土全体の３０重量％以上、好ましくは５０重量％以上含有されている意味であり、従って、植物栽培用培養土がこの堆肥資材のみからなる場合を含む意味で有る。
　【００２５】
　この植物栽培用培養土中の堆肥資材の含有量が３０重量％未満になると、植物の栽培に適した堆肥を得るのが困難であるうえ、堆肥を得る際、悪臭が発生したり、得られた培養土の保水性が低下したり、植物に長時間にわたって栄養を補給できなくなる場合があるなどの理由より、好ましくなく、従って、特に５０重量％以上含有されているものが望ましい。
　【００２６】
　以下、本発明を更に詳細に説明する。本発明においては、堆肥資材が、薬用植物から生薬を抽出及び／又は搾り出した残滓から得られたものが、植物栽培用培養土として、農産物等の植物を成育するうえで至極優れた効果が得られるので有益である。
　【００２７】
　上記薬用植物としては漢方薬或いは民間薬を問わず薬用に供されるものであれば特に限定されるものではなく、具体的には、例えば以下のものが挙げられる。
　【００２８】
　薬用植物をその利用状況より分類すると以下のとおりである。
　即ち、（１）全草又は茎葉を用いるものであり、具体的には、測えばドクダミ、ゲンノショウコ、クコ、ヨモギ、スイカズラ又はカキ等が挙げられる。
　【００２９】
　（２）花や蕾を用いるものであり、具体的には、例えばスイカズラの花、ベニバナの花弁、リョウリギク、コブシの花蕾、オグルマの花又はチョウジの花蕾等が挙げられる。
　【００３０】
　（３）種子、果実、果皮を用いるものであり、具体的には、例えばコショウの果実、ダイダイの果実、キササゲの果実、オオバコの果実、ゴシュユの果実、ミョウガの種子、アサクラザンショウの果実、シソの種子、中国産ビンロウの果皮、ミカンの果皮、ウイキョウの果実、サンショウの果実、クチナシの果実、ウメ、トウガの種子又はキカラスウリの種子等が挙げられる。
　【００３１】
　（４）根又は根茎を用いるものであり、具体的には、例えばテッセン、テンダイ鳥薬の根、コガネバナ、キキョウ、オウレン、イトヒメハギ、クズ、キカラスウリ、ショウガ、カンゾウ、シシウド、クララ、コマノハグサ、ミシマサイコ、ウスバサイシン、シオン、アカヤジオウ、シャクヤク、オケラ、サラシナショウマ、ヤマイモ、センキュウ、サルトリイバラ、チョウセンニンジン、オミナエシ、オキナグサ、ヨロイグサ、トリカブト、オオツヅラフシ、ボウフウ、タンポポ、ボタン、インド産キク科植物、メハジキ、リンドウ、中国産コウリョウキョウ、ノダケ、トチバニンジン、ハナスゲ、テンナンショウ、オニノヤガラ、クサスギカズラ又はトウキ等が挙げられる。
　【００３２】
　（５）木部、樹皮を用いるものであり、具体的には、例えばキハダ、サクラ、ホウノキ、インド産のマメ科植物シタン、東インド産の沈丁科植物、熱帯産スオウ、トチュウ、クヌギ、ナラ、カシワ又はアケビ等が挙げられる。
　【００３３】
　本発明の植物栽培用培養土においては、これらの薬用植物から上述の方法で生薬を取り出した残滓が用いられる。
　【００３４】
　ところで、このように薬用植物は多種にわたており、しかも薬用植物の利用箇所が異なり、従って、種々の残滓が得られるが、生薬の製造会社、或いは工場毎によって原料が決まっており、これらを収集し、混合して堆肥の原料が得られる。
　【００３５】
　又、本発明者の実験結果によると、薬用植物の残滓に偏りがあっても、これを堆肥にすると、植物の成育には何等問題がないことが認められた。
　【００３６】
　本発明の植物栽培用培養土においては、上記薬用植物の残滓から得られた堆肥資材（Ａ）に、薬用の動物及び／又は鉱物から生薬を抽出及び／又は搾り出した
残滓（Ｂ）
　【００３７】
　このように構成することによって、多量養分元素や微量養分元素が一層豊富になるだけでなく、植物の成育に必要な地の栄養素も豊富になり、しかも植物の成育に、即効性を発現するものと遅効性を発現するものの混合状態のものが一層得易いので有益である。
　【００３８】
　この場合、上記の（Ａ）と（Ｂ）の配合割合は、この（Ａ）と（Ｂ）の全体に対し、（Ｂ）が１〜１５重量％、特に５〜１０重量％の範囲とするのが望ましく、（Ｂ）の配合割合が１重量％未満では効果が乏しく加える意味がなく、一方、１５重量％を超えると植物の成育に必要な栄養のバランスが悪くなるだけでなく、保水性が低下するなどの理由より、好ましくない。
　【００３９】
　本発明で用いられる薬用の動物又は鉱物から生薬を抽出或いは搾り出した残滓としては、主として牛皮から作ったニカワの残滓、天然の鉱石から含水珪酸マグネシウムを取り出した残滓、天然の石膏から含水硫酸カルシウムを取り出した残滓又は天然のぼう硝から硫酸ナトリウムの結晶を取り出した残滓等が挙げられる。
　【００４０】
　本発明の植物栽培用培養土においては、所望により、粘土粉末、イナわら、ムギわら、籾殻、米糠、キレート化合物、魚カス、油カス、製造カス、おが屑、籾殻、樹皮細片物、鶏糞、馬糞又は骨粉から選ばれた少なくとも１種の資材（Ｃ）が配合されてもよいのである。
　【００４１】
　この場合、これらの資材（Ｃ）は、堆肥資材を製造後、そのまま配合しても良く、或いは、薬用の動物又は鉱物から生薬を抽出或いは搾り出した残滓に混合し、同時に堆肥にしても良く、これは、用いる用途、成育する植物、更に使用される季節等によって適宜、選択決定すれば良いのである。
　【００４２】
　そして、これらの資材（Ｃ）の配合割合は、堆肥資材に対し、（Ｃ）が１〜３０重量％、特に５〜２０重量％の範囲とするのが望ましく、（Ｃ）の配合割合が１重量％未満では効果が乏しく加える意味がなく、一方、３０重量％を超えると植物の成育に必要な栄養のバランスが悪くなるだけでなく、保水性が低下する場合があるなどの理由より、好ましくない。
　【００４３】
　本発明で用いられるキレート化合物としてはキレート結合を発現するものであれば特に限定されるものではないが、特にポリアミノカルボン酸類が無機質栄養素を固定し、その流亡を防ぐので望ましい。
　【００４４】
　このポリアミノカルボン酸類の具体的な代表例としては、エチレンジアミン四酢酸やそのカルシウム塩、鉄塩、マグネシウム塩又はカリウム塩等の金属塩、トランス−１，２−シクロヘキサンジアミン四酢酸、ジエチレントリアミン五酢酸、エチレンジアミン二酢酸、３，６−ジオキサ−１，６−オクタンジアミン四酢酸、Ｎ−（２−ヒドロキシエチル）エチレンジアミン三酢酸、Ｎ−（２−ヒドロキシエチル）イミノ二酢酸、トリエチレンテトラミン六酢酸或いはそれらのカルシウム塩、鉄塩、マグネシウム塩又はカリウム塩等の金属塩が挙げられるのである。
　【００４５】
　本発明で用いられる油カスとしては植物の種子から採油した残滓であり、具体的には、例えばヤシ油カス、ツバキ油カス、大豆油カス又はナタネ油カス等が挙げられる。
　【００４６】
　又、本発明で用いられる製造カスとしては、食品の製造或いは醸造で生じる残滓が挙げられる。
　【００４７】
　更に、本発明で用いられる樹皮細片物としては、広葉樹或いは針葉樹の樹皮の細片物が挙げられる。
　【００４８】
　本発明の植物栽培用培養土においては、上述の堆肥資材に、更に繊維資材、パルプ、高吸水性樹脂、無機質吸水剤又は陽イオン界面活性剤、陰イオン界面活性剤又は非イオン界面界面などの界面活性剤から選ばれた少なくとも１種の資材（Ｄ）を配合しても良いのである。
　【００４９】
　この場合、これらの資材（Ｄ）は、堆肥資材を製造後、そのまま配合しても良く、或いは、薬用の動物又は鉱物から生薬を抽出或いは搾り出した残滓に混合し、堆肥にしても良く、これは、用いる用途、成育する植物、更に使用される季節等によって適宜、選択決定すれば良いのであるが、通常、堆肥にしたものが望ましい。
　【００５０】
　そして、これらの資材（Ｄ）の配合割合は、堆肥資材に対し、（Ｄ）が１〜３０重量％、特に５〜２０重量％の範囲とするのが望ましく、（Ｄ）の配合割合が１重量％未満では効果が乏しく加える意味がなく、一方、３０重量％を超えると植物の成育に必要な栄養のバランスが悪くなるだけでなく、保水性が低下する場合があるなどの理由より、好ましくない。
　【００５１】
　本発明で用いられる繊維資材としては、天然繊維又は人造繊維が挙げられるのであり、又、この天然繊維には植物繊維、動物繊維又はロックウール又は石綿等の鉱物繊維が挙げられる。
　【００５２】
　上記植物繊維や動物繊維の具体例としては、例えば木綿、カポック、マニラ麻、サイザル麻、絹、ラクダ、アルパカ、羊毛、モヘア又はカシミヤなどが挙げられる。
　【００５３】
　又、人造繊維としては再生繊維、半合成繊維又は合成繊維が挙げられるが、このうち、再生繊維としては、例えばビスコースレーヨン又は銅アンモニアレーヨン等が挙げられるのであり、又、半合成繊維としては、例えばアセテートが挙げられるのであり、更に、合成繊維としては、例えばポリアミド系合成繊維、ポリエステル系合成繊維、ポリビニルアルコール系合成繊維、ポリ塩化ビニル系合成繊維、ポリ塩化ビニリデン系合成繊維、アクリル系合成繊維、モダクリル系合成繊維、ポリオレフィン系合成繊維、フルオロカーボン系合成繊維又はポリウレタン系合成繊維等が挙げられる。
　【００５４】
　本発明で用いられるパルプとしては特に限定されるものではなく、具体的には、例えば古紙、紙屑、パルプ残滓又はパルプ屑等が挙げられる。
　【００５５】
　又、本発明で用いられる高吸水性樹脂としては、例えばデンプン・アクリル酸グラフト重合体、ポリアクリル酸塩系樹脂、酢酸ビニル・アクリル酸塩共重合体、アクリル酸メチル・酢酸ビニル共重合体、ポリアクリル酸架橋樹脂、ポリビニルアルコール・アクリルエステル樹脂、アクリル酸ビニルアルコール系樹脂、イソブチレン・無水マレイン酸共重合体、ＰＶＡ・無水マレイン酸共重合体、デンプン・アクリロニトリルグラフト重合体、ポリエチレンオキサイド系樹脂、デンプン・アクリル酸グラフト重合体、ポリアクリロニトリル加水分解物、カルボキシメチルセルロース架橋物等である。
　【００５６】
　更に、本発明で用いられる無機質吸水剤としては特に限定されるものではないが、例えばバーミキュライト、シリカ粉、クレー、タルク、ベントナイト、パーライト又はゼオライト等が挙げられる。
　【００５７】
　ところで、上記界面活性剤は堆肥資材に親水性を付与し、保水性を改善させるためのものである。
　【００５８】
　本発明の植物栽培用培養土においては、バーク堆肥及び／又はピートモス、或いは植物の成長に必要な栄養素を含む肥効物質などの資材（Ｅ）を配合してなるものも有益である。
　【００５９】
　このバーク堆肥とは、広葉樹或いは針葉樹の樹皮の細片物に、鶏ふんや尿素などの窒素源を加え、長期間発酵腐熟させたものであり、樹種や添加物の種類や量、堆積期間などによって種々のものが挙げられる。
　【００６０】
　又、ピートモスとは水ごけ泥炭（草炭）を水洗いし乾燥、粉砕したものであるが、そのままでは、強酸性なので、本発明においては、消石灰を用いて中和されたものが配合される。
　【００６１】
　本発明で用いられる肥効物質としては、肥料取締法で定められている普通肥料や特殊肥料が挙げられる。
　【００６２】
　これらの資材（Ｅ）の配合割合は、堆肥資材に対し、（Ｅ）が０．１〜２０重量％、特に０．２５〜１５重量％の範囲とするのが望ましく、（Ｅ）の配合割合が０．１重量％未満では効果が乏しく加える意味がなく、一方、２０重量％を超えると他の成分とのバランスが悪くなるので好ましくない。
　【００６３】
　本発明の植物栽培用培養土においては、土壌改良資材（Ｆ）を、堆肥資材に対し、５〜２５重量％、特に１０〜２０重量％の範囲で配合しても良く、（Ｆ）の配合割合が５重量％未満では効果が乏しく加える意味がなく、一方、２５重量％を超えると他の成分とのバランスが悪くなるので好ましくない。
　【００６４】
　この土壌改良資材（Ｆ）としては、泥炭、草炭、亜炭或いは化石類等の植物物質、培養微生物、天然鉱物、鉱滓、微粉炭燃焼灰、焼成岩石又は石膏などの鉱物物質、合成化合物、りん鉱石又は石灰岩等が挙げられる。
　【００６５】
　ところで、本発明においては、上述の植物栽培用培養土を造粒し、乾燥して、取扱性を向上させたり、等級が直ちに判別できるようにするのが望ましい。
　【００６６】
　この場合、粒径が０．１〜２５ｍｍ、特に１〜１５ｍｍの範囲に調整されているものが、取扱性、或いは他の成分との配合等が至極容易になし得るので望ましい。
　【００６７】
　本発明においては、所望により、例えば塩化カルシウム、酸化アルミニウム、塩化第二鉄、酸化ケイ素、酸化マグネシウム、酸化チタン、シリカゲル、活性炭、塩化マグネシウム又は塩化亜鉛などの配合剤を配合しても良いのである。
　【００６８】
　本発明においては、上記残滓及び／又は資材を用い、植物栽培用培養土を製造する方法としては特に限定されるものではなく、堆積方法により、普通堆肥（水積み堆肥）、速成堆肥又は特殊堆肥のいずれも採用できるのである。
　【００６９】
　そして、この場合、堆肥が出来上がっているか否かの判断は生薬独特の匂いが無くなったり、或いは色の変化によって判断される。
　【００７０】
　堆肥が出来上がるまでの期間は、用いられる残滓や資材の種類、その成分比、堆肥方法、時季（温度）等によって異なるが、大体、２週間〜６ケ月である。
　【００７１】
　【作用】
　本発明の植物栽培用培養土は、生薬を抽出及び／又は搾り出した残滓の堆肥資材を主成分とする。
　【００７２】
　そして、この植物栽培用培養土を用いると、農作物等の植物の生育に優れた効果を発現する理由は明確ではないが、生薬を抽出及び／又は搾り出した残滓には、通常の植物に比較して、窒素、りん、カリウム、カルシウム又はマグネシウム等の多量養分元素、又は塩素、ホウ素、鉄、マンガン、亜鉛又は銅等の微量養分元素が大量に含まれており、しかもこの残滓には、生薬の成分や他の栄養素を豊富に含んでおり、これらの栄養素が植物に効果的に吸収されてると共にこれらの栄養素が相乗的に作用し合って植物の成長を著しく促進するものと解される。
　【００７３】
　又、生薬を抽出及び／又は搾り出した残滓を用いると、堆肥が出来上がるまでの期間が短い理由は明確ではないが、この残滓の中には、上述のごとく、多種多様の成分を含んでおり、しかもこの成分は極めて活性な成分も含まれており、又、残滓中の金属成分が触媒として作用し、更に残滓中の水分、空気中の酸素等が作用して堆肥化が促進されるものと解される。
　【００７４】
　更に、生薬を抽出及び／又は搾り出した残滓を用いると、堆肥が出来上がるまでの間、生薬の匂いが僅かに感じられることがあるが、悪臭が殆ど感じられない理由は明確ではないが、この悪臭物質が残滓中の活性成分（物質）と化学的に結合して悪臭物質の放散が抑制されたり、生薬の匂いと相殺されたためと解される。
　【００７５】
　そして、本発明の植物栽培用培養土は、親水性の繊維質が腐熟した成分を多量に含み、この繊維質の腐熟成分が保水性が大であるので、通常の植物を資材として製造した堆肥に比較して、水の保持力が大であり、このため、植物の成育に際し、施水をさ程繰り返す必要が無くなるのであり、又、上記繊維質の腐熟成分は植物の根の成長や活力を促進し、植物の成長を活発にする作用を有するのである。
　【００７６】
　【実施例】
　以下、本発明を実施例に基づき詳細に説明するが、本発明はこれに限定されるものではない。
　実施例１
　全草又は茎葉から生薬を抽出及び／又は搾り出した残滓２５重量％、花や蕾から生薬を抽出及び／又は搾り出した残滓１５重量％、種子、果実、果皮から生薬を抽出及び／又は搾り出した残滓３０重量％、根又は根茎から生薬を抽出及び／又は搾り出した残滓２０重量％及び木部、樹皮から生薬を抽出及び／又は搾り出した残滓１０重量％からなる資材を混合し、水をかけて７日間仮積みし資材を軟化した。
　【００７７】
　次いで、この軟化した資材をくずして２．５ｍ２程度の枠内に本積みすると、４０日後には生薬の匂いが無くなり、黒土状の植物栽培用培養土が得られた。
　【００７８】
　尚、この堆肥を製造する際、殆ど悪臭は感じられなかった。
　【００７９】
　実施例２
　全草又は茎葉から生薬を抽出及び／又は搾り出した残滓１００重量部に消石灰５重量部を混合し、水をかけて仮積みすると、５日間で資材が軟化した。
　【００８０】
　次いで、この軟化した資材をくづして硫酸アンモニウム０．３重量部を加え、２．５ｍ２程度の枠内に本積みし、２週間後に切返し、更に硫酸アンモニウム０．１重量部を加えると、２週間後には生薬の匂いが無くなり、黒土状の植物栽培用培養土が得られた。
　【００８１】
　尚、この堆肥を製造する際、殆ど悪臭は感じられなかった。
　【００８２】
　比較例
　イナわら、落葉及び野菜などの通常の資材１００重量部に消石灰５重量部を混合し、水をかけて仮積みすると、１０日間で資材が軟化した。
　【００８３】
　次いで、この軟化した資材を１０日後に切りくづして硫酸アンモニウム０．３重量部を加え、２．５ｍ２程度の枠内に本積みした。
　【００８４】
　１カ月後に硫酸アンモニウム０．１重量部を加えながら切返しを行う。次いで、１カ月後に切返し、更に１カ月して完熟堆肥を得た。
　【００８５】
　得られた完熟堆肥５５重量部に、アルミノ硅酸塩鉱物の微粉末３５重量部及び粘土質資材の微粉末１０重量部を加え、これらを混練し、造粒、乾燥させて、仕上がり水分率を１０重量％程度にした。得られた製品の粒の大きさは１〜５ｍｍ程度とした。
　【００８６】
　ところで、この場合においては、この堆肥を製造する際、悪臭が感じられた。
　【００８７】
　農作物の栽培試験上記各実施例及び比較例を用い、畑地とし、ジャガ芋及びトマトを栽培し、その収穫量を調査した。
　【００８８】
　この１株（平均値）当たりの収穫量を、実施例１を１００として、比較すると、実施例２は１０２．５、比較は８５．８であった。
　【００８９】
　又、得られたジャガ芋及びトマトの大きさは、実施例１と実施例２のものは同程度であったが、これらのものに比べて、比較例のものは稍小さく、しかもバラツキが大であった。
　【００９０】
　【発明の効果】
　本発明の植物栽培用培養土は、上記構成を有し、堆肥時間が短く、しかも植物に必要な多量養分元素及び微量養分元素のバランスが良く、且つ保水性が良好で、植物の成長を促進して、収穫量の増大、及び品質の優れた農産物が得られる効果を有するのである。
　【００９１】
　又、本発明の植物栽培用培養土は、堆肥が出来上がるまでの間、悪臭が殆ど感じられないので、都市圏でも製造できるのであり、この結果、輸送コスト等、立地条件を配慮して最適値で製造できるのであり、至極経済的である。